(57)【要約】【課題】ＯＰＧＷのアルミ覆鋼線のみを切断する鋼線切断用ダイスを提供する。【解決手段】ダイス１０は、ダイスホルダ７を用いて、ＯＰＧＷ１のアルミ覆鋼線１ｂを切断できる。ダイスホルダ７は、ダイス押さえ７ａとダイス受け７ｂを備える。ダイス１０は、第１ダイス２と第２ダイス３で構成している。第１ダイス２は、ダイス押さえ７ａに半円筒状の外周が保持される。又、第１ダイス２は、アルミ覆鋼線１ｂを導入できる。第２ダイス３は、ダイス受け７ｂに半円筒状の外周が保持される。又、第２ダイス３は、アルミ覆鋼線１ｂを導入できる。第２ダイス３は、部分円筒部３１を形成している。アルミ覆鋼線１ｂを切断する鋸刃８の刃部８１がアルミ管１ａに接触しないように、部分円筒部３１は、ＯＰＧＷ１を導入する凹部３１ｃの底面から両端縁に至る深さＤを規定している。【選択図】図１
2016129454.tif 000002
【特許請求の範囲】
【請求項１】
一つ以上の光ファイバを有する複数の光ファイバケーブル、前記光ファイバケーブルが埋設される螺旋溝を外周に形成した溝付きアルミ線、前記溝付きアルミ線の外周を略密着状態で被うアルミ管、及び前記アルミ管の外周に撚り合わせた状態で巻き付けた複数のアルミ覆鋼線で構成した光ファイバ複合架空地線において、
半円弧状の第１凹部を形成したダイス押さえ、及び前記第１凹部に対向配置された半円弧状の第２凹部を形成したダイス受けを備えたダイスホルダを用いて、前記アルミ覆鋼線を切断するための光ファイバ複合架空地線の鋼線切断用ダイスであって、
前記第１凹部に密着するように半円筒状の外周が保持され、前記アルミ覆鋼線を外周方向から導入する半円筒状の内周を有する第１ダイスと、
前記第２凹部に密着するように半円筒状の外周が保持され、前記アルミ覆鋼線を外周方向から導入する半円筒状の内周を有する第２ダイスと、を備え、
前記第２ダイスは、前記第１ダイスの一方の端面から軸方向に延出すると共に、前記第１ダイスの一方の端面と断差をもって、当該第２ダイスと底部を共有する部分円筒部を有し、
前記部分円筒部は、前記アルミ覆鋼線を外周方向から導入可能なＵ字状の凹部を有し、
前記アルミ覆鋼線を切断する鋸刃の刃部が前記アルミ管に接触しないように、前記部分円筒部は、前記凹部の底面から両端縁に至る深さを規定している、光ファイバ複合架空地線の鋼線切断用ダイス。
【請求項２】
前記凹部は、その外周方向の端面が内周から外周に向けて下り傾斜している、請求項１記載の光ファイバ複合架空地線の鋼線切断用ダイス。
【請求項３】
前記ダイス押さえは、前記ダイス受けに対して回動自在な軸ピンを一端部側に有し、前記ダイス受けに対して他端部側を開閉自在に構成している、請求項１又は２記載の光ファイバ複合架空地線の鋼線切断用ダイス。
【請求項４】
前記ダイスホルダは、前記ダイス受けを支持し、把持可能な把持棒を更に備える請求項１から３のいずれかに記載の光ファイバ複合架空地線の鋼線切断用ダイス。
【請求項５】
請求項１から４のいずれかに記載の光ファイバ複合架空地線の鋼線切断用ダイスを用いて、外周のアルミ線のみが切断される鋼心アルミ撚線。
【発明の詳細な説明】
【技術分野】
【０００１】
本発明は、光ファイバ複合架空地線の鋼線切断用ダイスに関する。特に、光ファイバ複合架空地線（以下、ＯＰＧＷ：ｃｏｍｐｏｓｉｔｅ  ｆｉｂｅｒ  ＯＰｔｉｃ  Ｇｒｏｕｎｄ  Ｗｉｒｅという）の外周を構成するアルミ覆鋼線を切断するための鋼線切断用ダイスの構造に関する。
【背景技術】
【０００２】
鉄塔間などに架設された架空送電線は、通常、架空地線をその最上部に架線している。架空地線は、雷遮蔽を目的として設置している。架空地線が落雷を先に受けることで、直下の架空送電線へ雷が直撃することを防止できる。近年では、雷の影響を受けない、情報通信用の光ファイバを架空地線に内蔵することによって、通信線の機能を付加したＯＰＧＷが採用されている。
【０００３】
図７は、一般的なＯＰＧＷの構成を示す斜視図である。図８は、一般的なＯＰＧＷの構成を示す縦断面図である。
【０００４】
図７又は図８を参照すると、一般に、ＯＰＧＷ１は、複数の光ファイバケーブル１ｃを内部に収納したアルミ管１ａと、アルミ管１ａの外周に撚り合わせた複数のアルミ覆鋼線１ｂで構成している。アルミ管１ａは、その内部に溝付きアルミ線１ｓを挿入している。溝付きアルミ線１ｓは、中心に向かってＵ字状に窪むと共に、緩やかな勾配を有する複数の螺旋溝１ｄを外周に形成している。そして、ＯＰＧＷ１は、光ファイバケーブル１ｃを比較的余裕をもって螺旋溝１ｄに収容している。
【０００５】
図８を参照して、例えば、光ファイバケーブル１ｃは、ＦＲＰ（繊維強化プラスチック）などで形成されたテンションメンバ１ｔを中心部に配置すると共に、テンションメンバ１ｔの外周に撚り合わされた複数の光ファイバ１ｆを備えている。そして、光ファイバケーブル１ｃは、シリコンなどで被覆された複数の光ファイバ１ｆを一括してテープ（図示せず）で巻いている。
【０００６】
ところで、図７又は図８を参照して、ＯＰＧＷ１の端末を光接続箱（図示せず）に接続する場合には、アルミ管１ａを傷つけることなく、アルミ管１ａの外周に撚り合わせた複数のアルミ覆鋼線１ｂのみを切断する必要がある。ＯＰＧＷ１の外周に設けたアルミ覆鋼線１ｂのみを切断する切断装置に類似したものとして、鋼心線を傷付けることなく、送電線の周囲のアルミ撚線を容易に切断できる作業性の良好な鋼心アルミ撚線のアルミ線切断装置が開示されている（例えば、特許文献１参照）。
【０００７】
特許文献１による鋼心アルミ撚線のアルミ線切断装置は、鋼心線の外周のアルミ撚線のみを切断する油圧式の切断装置であって、鋼心アルミ撚線を保持する一対のクランプ金具と、鋼心線を避ける円弧状の凹部を形成した固定刃と、鋼心線を避ける円弧状の凹部を形成した可動刃と、を備え、固定刃及び可動刃は、刃が鋼心線に接触するためのストッパを有している。
【０００８】
又、ＯＰＧＷ１の外周に設けたアルミ覆鋼線１ｂのみを切断する切断装置に類似したものとして、熟練を要することなく、容易にかつ、鋼心線を傷付けることなく、送電線の周囲のアルミ撚線を切断できる鋼心アルミ撚線のアルミ線切断装置が開示されている（例えば、特許文献２参照）。
【０００９】
特許文献２による鋼心アルミ撚線のアルミ線切断装置は、鋼心線の外周のアルミ撚線のみを切断する油圧式の切断装置であって、鋼心アルミ撚線を保持する一対のクランプ金具と、鋼心線を避ける円弧状の凹部を形成した固定刃と、鋼心線を避ける円弧状の凹部を形成した可動刃と、を備え、可動刃を駆動する油圧シリンダには、可動刃の下死点を規定するストッパを設けている。
【先行技術文献】
【特許文献】
【００１０】
【特許文献１】特開平１０−１８０５３２号公報
【特許文献２】特開平６−２７００１１号公報
【発明の概要】
【発明が解決しようとする課題】
【００１１】
しかし、特許文献１又は特許文献２に用いた固定刃及び可動刃は、鋼心アルミ撚線のアルミ撚線を外周方向から「せん断」している。このため、特許文献１又は特許文献２の装置をＯＰＧＷの外周に設けたアルミ覆鋼線のみを切断する切断装置に適用すると、アルミ管を介して、溝付きアルミ線の径方向に圧力がかかることになる。そして、溝付きアルミ線に圧縮荷重が作用すると、光ファイバが傷ついてしまう心配がある。光ファイバを損傷する心配のない光ファイバ複合架空地線の鋼線切断装置が求められている。
【００１２】
又、特許文献１又は特許文献２に開示された鋼心アルミ撚線のアルミ線切断装置は、油圧装置であって、油圧源を必要としている。このため、特許文献１又は特許文献２の装置は、光接続箱などが設置された屋外で使用するには、適していないという問題もある。油圧源を必要とすることなく、屋外でも容易に使用できるように、手動のダイスホルダを用いて、光ファイバ複合架空地線の鋼線を切断できるダイスが求められている。そして、以上のことが本発明の課題といってよい。
【００１３】
本発明は、このような課題に鑑みてなされたものであり、光ファイバを損傷することなく、手動のダイスホルダを用いて、光ファイバ複合架空地線の鋼線のみを切断する光ファイバ複合架空地線の鋼線切断用ダイスを提供することを目的とする。
【課題を解決するための手段】
【００１４】
本発明者は、ダイスホルダに保持された第２ダイスをダイスホルダに保持された第１ダイスより軸方向に長く設定し、第２ダイスの延長部には、アルミ覆鋼線の一部が露出する凹部を設け、鋸刃を用いて第２ダイスの延長部でアルミ覆鋼線を切断すると共に、鋸刃の刃面がアルミ管に接触しないように、凹部の深さを規定することで、アルミ管を損傷することなく、アルミ管の外周に巻き付けた複数のアルミ覆鋼線を切断できることを見出し、これに基づいて、以下のような新たな光ファイバ複合架空地線の鋼線切断用ダイスを発明するに至った。
【００１５】
（１）本発明による光ファイバ複合架空地線の鋼線切断用ダイスは、一つ以上の光ファイバを有する複数の光ファイバケーブル、前記光ファイバケーブルが埋設される螺旋溝を外周に形成した溝付きアルミ線、前記溝付きアルミ線の外周を略密着状態で被うアルミ管、及び前記アルミ管の外周に撚り合わせた状態で巻き付けた複数のアルミ覆鋼線で構成した光ファイバ複合架空地線において、半円弧状の第１凹部を形成したダイス押さえ、及び前記第１凹部に対向配置された半円弧状の第２凹部を形成したダイス受けを備えたダイスホルダを用いて、前記アルミ覆鋼線を切断するための光ファイバ複合架空地線の鋼線切断用ダイスであって、前記第１凹部に密着するように半円筒状の外周が保持され、前記アルミ覆鋼線を外周方向から導入する半円筒状の内周を有する第１ダイスと、前記第２凹部に密着するように半円筒状の外周が保持され、前記アルミ覆鋼線を外周方向から導入する半円筒状の内周を有する第２ダイスと、を備え、前記第２ダイスは、前記第１ダイスの一方の端面から軸方向に延出すると共に、前記第１ダイスの一方の端面と断差をもって、当該第２ダイスと底部を共有する部分円筒部を有し、前記部分円筒部は、前記アルミ覆鋼線を外周方向から導入可能なＵ字状の凹部を有し、前記アルミ覆鋼線を切断する鋸刃の刃部が前記アルミ管に接触しないように、前記部分円筒部は、前記凹部の底面から両端縁に至る深さを規定している。
【００１６】
本発明による光ファイバ複合架空地線の鋼線切断用ダイスは、第２ダイスの部分円筒部に導入された光ファイバ複合架空地線のアルミ覆鋼線を鋸刃で切断しているので、アルミ管への圧縮荷重を抑制できる。これにより、光ファイバの損傷を抑制できる。又、本発明による光ファイバ複合架空地線の鋼線切断用ダイスは、アルミ覆鋼線を切断する鋸刃の刃部がアルミ管に接触しないように、凹部の底面から両端縁に至る深さを規定しているので、アルミ管の損傷を防止できる。アルミ覆鋼線の切断深さは、アルミ覆鋼線の直径の２／３程度が好ましい。
【００１７】
（２）前記凹部は、その外周方向の端面が内周から外周に向けて下り傾斜していることが好ましい。
【００１８】
凹部は、その外周方向の端面が内周から外周に向けて下り傾斜しているので、鋸刃の刃部を傾斜してアルミ覆鋼線を切断しても、アルミ管の損傷を防止できる。
【００１９】
（３）前記ダイス押さえは、前記ダイス受けに対して回動自在な軸ピンを一端部側に有し、前記ダイス受けに対して他端部側を開閉自在に構成していることが好ましい。
【００２０】
ダイス押さえは、ダイス受けに対して他端部側を開閉自在に構成しているので、第１ダイス又は第２ダイスを素早くダイスホルダに取り付けることができる。
【００２１】
（４）前記ダイスホルダは、前記ダイス受けを支持し、把持可能な把持棒を更に備えることが好ましい。
【００２２】
ダイスホルダは、ダイス受けを支持し、把持可能な把持棒を更に備えているので、屋外での切断工事が容易になる。
【００２３】
（５）（１）から（４）のいずれかに記載の光ファイバ複合架空地線の鋼線切断用ダイスを用いて、外周のアルミ線のみが切断される鋼心アルミ撚線。
【００２４】
（１）から（４）のいずれかに記載の光ファイバ複合架空地線の鋼線切断用ダイスを用いて、鋼心アルミ撚線の外周のアルミ線のみを切断できる。
【発明の効果】
【００２５】
本発明は、光ファイバを損傷することなく、手動のダイスホルダを用いて、光ファイバ複合架空地線の鋼線のみを切断する光ファイバ複合架空地線の鋼線切断用ダイスを提供できる。
【図面の簡単な説明】
【００２６】
【図１】本発明の一実施形態による光ファイバ複合架空地線の鋼線切断用ダイスの構成を示す斜視図であり、ダイスホルダを用いて、鋼線切断用ダイスを保持した状態図である。
【図２】前記実施形態による光ファイバ複合架空地線の鋼線切断用ダイスの構成を示す斜視図である。
【図３】前記実施形態による光ファイバ複合架空地線の鋼線切断用ダイスを保持するためのダイスホルダの構成を示す斜視図である。
【図４】前記実施形態による光ファイバ複合架空地線の鋼線切断用ダイスの構成を示す正面図である。
【図５】前記実施形態による光ファイバ複合架空地線の鋼線切断用ダイスの構成を示す縦断面図であり、図４のＡ−Ａ矢視断面図である。
【図６】前記実施形態による光ファイバ複合架空地線の鋼線切断用ダイスの構成を示す縦断面図であり、図４のＢ−Ｂ矢視断面図である。
【図７】一般的なＯＰＧＷの構成を示す斜視図である。
【図８】一般的なＯＰＧＷの構成を示す縦断面図である。
【発明を実施するための形態】
【００２７】
以下、図面を参照して本発明を実施するための形態を説明する。
［光ファイバ複合架空地線の鋼線切断用ダイスの構成］
最初に、本発明の一実施形態による光ファイバ複合架空地線の鋼線切断用ダイスの構成を説明する。
【００２８】
図１は、本発明の一実施形態による光ファイバ複合架空地線の鋼線切断用ダイスの構成を示す斜視図であり、ダイスホルダを用いて、鋼線切断用ダイスを保持した状態図である。
【００２９】
図２は、前記実施形態による光ファイバ複合架空地線の鋼線切断用ダイスの構成を示す斜視図である。図３は、前記実施形態による光ファイバ複合架空地線の鋼線切断用ダイスを保持するためのダイスホルダの構成を示す斜視図である。
【００３０】
図４は、前記実施形態による光ファイバ複合架空地線の鋼線切断用ダイスの構成を示す正面図である。図５は、前記実施形態による光ファイバ複合架空地線の鋼線切断用ダイスの構成を示す縦断面図であり、図４のＡ−Ａ矢視断面図である。図６は、前記実施形態による光ファイバ複合架空地線の鋼線切断用ダイスの構成を示す縦断面図であり、図４のＢ−Ｂ矢視断面図である。
【００３１】
（全体構成）
図１から図４を参照すると、本発明の一実施形態による光ファイバ複合架空地線の鋼線切断用ダイス（以下、ダイスと略称する）１０は、ダイスホルダ７を用いて、ＯＰＧＷ１のアルミ覆鋼線１ｂを切断できる。ダイスホルダ７は、ダイス押さえ７ａとダイス受け７ｂを備えている（図３参照）。ダイス押さえ７ａは、半円弧状の第１凹部７１を形成している。ダイス受け７ｂは、半円弧状の第２凹部７２を形成している。第２凹部７２は、第１凹部７１に対向配置されている。
【００３２】
図１から図４を参照すると、ダイス１０は、第１ダイス２と第２ダイス３で構成している。第１ダイス２は、第１凹部７１に密着するように、半円筒状の外周が保持される。又、第１ダイス２は、アルミ覆鋼線１ｂを外周方向から導入する半円筒状の内周を有している。第２ダイス３は、第２凹部７２に密着するように、半円筒状の外周が保持される。又、第２ダイス３は、アルミ覆鋼線１ｂを外周方向から導入する半円筒状の内周を有している。
【００３３】
図１又は図２及び図４から図６を参照すると、第２ダイス３は、部分円筒部３１を形成している。部分円筒部３１は、第１ダイス２の一方の端面から軸方向に延出している。又、部分円筒部３１は、第１ダイス２の一方の端面と断差をもって、第２ダイス３と底部を共有している。
【００３４】
図２又は図６を参照すると、部分円筒部３１は、Ｕ字状の凹部３１ｃを形成している。凹部３１ｃには、アルミ覆鋼線１ｂを外周方向から導入できる。図１又は図４及び図６を参照すると、アルミ覆鋼線１ｂを切断する鋸刃８の刃部８１がアルミ管１ａに接触しないように、部分円筒部３１は、凹部３１ｃの底面から両端縁に至る深さＤを規定している。
【００３５】
図１又は図２を参照して、実施形態によるダイス１０は、第２ダイス３の部分円筒部３１に導入されたＯＰＧＷ１のアルミ覆鋼線１ｂを鋸刃８で切断しているので、アルミ管１ａへの圧縮荷重を抑制できる。これにより、光ファイバ１ｆの損傷を抑制できる。又、図１又は図２及び図６を参照して、実施形態によるダイス１０は、アルミ覆鋼線１ｂを切断する鋸刃８の刃部８１がアルミ管１ａに接触しないように、凹部３１ｃの底面から両端縁に至る深さＤを規定しているので、アルミ管１ａの損傷を防止できる。
【００３６】
又、図６を参照すると、第２ダイス３の凹部３１ｃは、その外周方向の端面３１ｔが内周から外周に向けて下り傾斜している。凹部３１ｃは、その外周方向の端面３１ｔが内周から外周に向けて下り傾斜しているので、鋸刃８の刃部８１を傾斜してアルミ覆鋼線１ｂを切断しても、アルミ管１ａの損傷を防止できる（図１又は図３参照）。
【００３７】
（ダイスホルダの構成）
次に、実施形態によるダイスホルダ７の構成を説明する。図１又は図３を参照すると、ダイス押さえ７ａは、二山クレビス形の第１連結部７１１を一端部側に突出している。又、ダイス受け７ｂは、一山クレビス形の第２連結部７１２を一端部側に突出している。
【００３８】
図１又は図３を参照して、第１連結部７１１を貫通する第１貫通穴（図示せず）と、第２連結部７１２を貫通する第２貫通穴（図示せず）を一致させて、軸ピン７ｐを第２貫通穴に圧入することで、ダイス受け７ｂに対して、ダイス押さえ７ａの他端部側を開閉自在に構成できる。このように、ダイス押さえ７ａは、ダイス受け７ｂに対して回動自在な軸ピン７ｐを一端部側に有し、ダイス受け７ｂに対して他端部側を開閉できる。
【００３９】
図１又は図３を参照すると、ダイス押さえ７ａは、二股に分岐した鍔部７１ｆを他端部側に突出している。又、ダイス受け７ｂは、二股に分岐した受け部７２ｆを他端部側に突出している。受け部７２ｆは、軸ピン７１ｐで回転自在に連結したボルト部材７ｓを端部に備えている。
【００４０】
図１又は図３を参照して、ボルト部材７ｓを鍔部７１ｆ側に回転し、ボルト部材７ｓに蝶ナット７１ｂを締結することで、ダイス受け７ｂに対して、ダイス押さえ７ａを閉じることができる。ボルト部材７ｓから蝶ナット７１ｂが外れる方向に蝶ナット７１ｂを回転し、ボルト部材７ｓを鍔部７１ｆと反対側に回転することで、ダイス受け７ｂに対して、ダイス押さえ７ａを開くことができる。
【００４１】
図１又は図３を参照すると、受け部７２ｆは、把持棒７ｃを更に備えている。つまり、ダイスホルダ７は、ダイス受け７ｂを支持し、把持可能な把持棒７ｃを更に備えている。
【００４２】
図１又は図３を参照すると、ダイス押さえ７ａには、固定ねじ７３を挿通自在な穴７１ｈを中央部に開口している。一方、図２を参照すると、第１ダイス２は、固定ねじ７３が螺合できる雌ねじ部２ｓを設けている。つまり、固定ねじ７３を用いて、第１ダイス２をダイス押さえ７ａの第１凹部７１に固定できる（図３参照）。
【００４３】
同様に、ダイス受け７ｂには、固定ねじ７３を挿通自在な穴７２ｈを開口している。一方、図２を参照すると、第２ダイス３は、固定ねじ７３が螺合できる雌ねじ部３ｓを設けている。つまり、固定ねじ７３を用いて、第２ダイス３をダイス受け７ｂの第２凹部７２に固定できる（図３参照）。
【００４４】
［光ファイバ複合架空地線の鋼線切断用ダイスの作用］
次に、実施形態によるダイス１０の操作手順を説明しながら、ダイス１０の作用及び効果を説明する。
【００４５】
最初に、図１又は図３を参照して、固定ねじ７３を用いて、第１ダイス２をダイス押さえ７ａの第１凹部７１に固定すると共に、固定ねじ７３を用いて、第２ダイス３をダイス受け７ｂの第２凹部７２に固定する。
【００４６】
次に、図１又は図３を参照して、ボルト部材７ｓを鍔部７１ｆ側に回転し、ボルト部材７ｓに蝶ナット７１ｂを締結することで、ダイス受け７ｂに対して、ダイス押さえ７ａを閉じることができる。そして、図５に示すように、第１ダイス２と第２ダイス３でＯＰＧＷ１を把持できる。
【００４７】
次に、図１又は図４を参照して、第１ダイス２の端面に沿って、鋸刃８を往復動することで、アルミ覆鋼線１ｂを切断できる。そして、アルミ覆鋼線１ｂを一本ずつ切断しながら、蝶ナット７１ｂを緩めてＯＰＧＷ１を回動し、順次、アルミ覆鋼線１ｂを切断する。この場合、アルミ覆鋼線１ｂを完全に切断することなく、アルミ覆鋼線１ｂの直径の２／３程度まで、アルミ覆鋼線１ｂの切断深さを留めておくことが好ましい。
【００４８】
最後に、図１又は図４を参照して、アルミ覆鋼線１ｂの端末を把持して、切断部が破壊するまで、アルミ覆鋼線１ｂの端末を操作して、アルミ覆鋼線１ｂの端末を切り取る。そして、一連の切断作業を終了する。
【００４９】
図１又は図２を参照して、実施形態によるダイス１０は、第２ダイス３の部分円筒部３１に導入されたＯＰＧＷ１のアルミ覆鋼線１ｂを鋸刃８で切断しているので、アルミ管１ａへの圧縮荷重を抑制できる。これにより、光ファイバ１ｆの損傷を抑制できる。又、図１又は図２及び図６を参照して、実施形態によるダイス１０は、アルミ覆鋼線１ｂを切断する鋸刃８の刃部８１がアルミ管１ａに接触しないように、凹部３１ｃの底面から両端縁に至る深さＤを規定しているので、アルミ管１ａの損傷を防止できる。
【００５０】
又、図６を参照すると、第２ダイス３の凹部３１ｃは、その外周方向の端面３１ｔが内周から外周に向けて下り傾斜しているので、鋸刃８の刃部８１を傾斜してアルミ覆鋼線１ｂを切断しても、アルミ管１ａの損傷を防止できる（図１又は図３参照）。
【００５１】
本発明による光ファイバ複合架空地線の鋼線切断用ダイスは以下の効果が期待できる。
（１）アルミ覆鋼線の切断時間を短縮できる。
（２）本ダイスを用いない従来工法と比べ、熟練を要しない。
（３）アルミ覆鋼線の過剰な切断を防止でき、アルミ管を傷つけない。
（４）鋼心アルミ撚線のアルミ線切断装置にも応用できる。
（５）市販の一般的な金切鋸を使用できる。
【００５２】
本発明による光ファイバ複合架空地線の鋼線切断用ダイスは、光ファイバ複合架空地線のアルミ覆鋼線を好適に切断できるが、本発明による光ファイバ複合架空地線の鋼線切断用ダイスを用いて、鋼心アルミ撚線の外周のアルミ線のみを切断できる。
【符号の説明】
【００５３】
１  ＯＰＧＷ（光ファイバ複合架空地線）
１ａ  アルミ管
１ｂ  アルミ覆鋼線
１ｃ  光ファイバケーブル
１ｄ  螺旋溝
１ｆ  光ファイバ
１ｓ  アルミ線
２  第１ダイス
３  第２ダイス
７  ダイスホルダ
７ａ  ダイス押さえ
７ｂ  ダイス受け
８  鋸刃
１０  ダイス（光ファイバ複合架空地線の鋼線切断用ダイス）
３１  部分円筒部
３１ｃ  凹部
７１  第１凹部
７２  第２凹部
８１  刃部
Ｄ  深さ（凹部３１ｃの深さ）
【図１】
2016129454.tif 000003
【図２】
2016129454.tif 000004
【図３】
2016129454.tif 000005
【図４】
2016129454.tif 000006
【図５】
2016129454.tif 000007
【図６】
2016129454.tif 000008
【図７】
2016129454.tif 000009
【図８】
2016129454.tif 000010